(57)【要約】【課題】違和感の無いスピーディーな操作感を与え、実際のユーザの使用形態により即した機能操作性を有する携帯電子機器を提供する。【解決手段】筐体に所定の回転軸を中心に回転可能に取り付けられる回転ダイヤル部４１と、回転を検出する回転検出部２０１と、回転検出部２０１により検出された回転に基づいて、所定のアプリケーションを起動させるアプリケーション起動処理部２０２と、アプリケーション起動処理部２０２により起動されるアプリケーションに使用されるデバイスを確認するデバイス確認部２０３と、デバイス確認部２０３により確認されたデバイスと、回転の開始が検出されたときに、起動中のデバイスが同一であるか否かを判断する判断部２０４と、判断部２０４により同一であると判断されたときには、起動中のデバイスを起動状態に維持するように制御する制御部２０５とを備える。【選択図】図７
2010200045.tif 000002
【特許請求の範囲】
【請求項１】
筐体と、
前記筐体に所定の回転軸を中心に回転可能に取り付けられる回転ダイヤル部と、
前記回転ダイヤル部の回転を検出する回転検出部と、
前記回転検出部により検出された回転に基づいて、複数のアプリケーションのうち所定のアプリケーションを起動させるアプリケーション起動処理部と、
前記アプリケーション起動処理部により起動されるアプリケーションに使用されるデバイスを確認するデバイス確認部と、
前記デバイス確認部により確認されたデバイスと、前記回転検出部により前記回転ダイヤル部の回転の開始が検出されたときに、起動中のデバイスが同一であるか否かを判断する判断部と、
前記判断部により同一であると判断されたときには、起動中のデバイスを起動状態に維持するように制御する制御部とを備えることを特徴とする携帯電子機器。
【請求項２】
前記回転ダイヤル部には、同一のデバイスを利用するアプリケーション同士が隣接するように複数のアプリケーションが割り当てられていることを特徴とする請求項１記載の携帯電子機器。
【請求項３】
前記制御部は、前記判断部により同一でないと判断されたときには、現在起動中のデバイスを停止状態に制御し、前記デバイス確認部により確認されたデバイスを起動状態に制御することを特徴とする請求項１記載の携帯電子機器。
【請求項４】
前記制御部は、前記判断部により同一でないと判断されたときには、現在起動中のデバイスにより実行されているアプリケーションが非活性状態でも実行が維持されるアプリケーションであるかどうかを判断し、非活性状態でも実行が維持されるアプリケーションであると判断したときには、現在起動中のデバイスを起動状態に維持し、非活性状態で当該アプリケーションの実行を維持するように制御することを特徴とする請求項１記載の携帯電子機器。
【請求項５】
前記制御部は、前記判断部により同一でないと判断されたときには、現在起動中のデバイスにより実行されているアプリケーションが非活性状態でも実行が維持されるアプリケーションであるかどうかを判断し、非活性状態でも実行が維持されるアプリケーションであると判断したときには、現在起動中のデバイスを起動状態に維持するか又は停止状態にするかを判断させるための情報を報知することを特徴とする請求項１記載の携帯電子機器。
【請求項６】
前記非活性状態でも実行の維持が可能なアプリケーションは、メモリに保存されている音楽データを再生する音楽再生用アプリケーション、受信した電波を映像と音声に変換して再生する映像再生用アプリケーション、受信した電波を音声に変換して再生する音声出力アプリケーション、及び位置情報に基づいて目的地まで音声によりガイドする音声ガイドアプリケーション等の音声を外部に出力するアプリケーションの少なくともいずれかであることを特徴とする請求項４又は５記載の携帯電子機器。
【発明の詳細な説明】
【技術分野】
【０００１】
本発明は、回転ダイヤル部を有する携帯電子機器に関する。
【背景技術】
【０００２】
携帯電話機は、通信・通話機能のみならず、テレビ・ラジオを視聴する機能やナビゲーションシステムによるナビゲーション機能も搭載され、多機能化されている。このような携帯電話機においては、テレビ視聴機能等の機能が選択されていない場合には、通信・通話の待受画面がトップ画面として表示される。そして、ユーザが所定の操作を行うことにより、待受画面から他の機能を選択するメニュー選択画面に移行すると共に、当該選択メニュー画面においてユーザが所定の機能を選択することで、所望の機能を起動させることができる。
【０００３】
しかし、メニュー選択画面には多数の機能が列記されるため、不慣れなユーザにとってはスムースな操作が困難であり、携帯電話機自体の使用について抵抗を感じる場合があり、より直感的なユーザインターフェースが要求されている。そこで、ヒンジ部を有するフォルダタイプの携帯電話機において、ヒンジ部にボリューム切り替え等に用いる回転ダイヤルを設けた携帯電話機が提案されている（例えば、特許文献１を参照。）。
【０００４】
また、デジタルカメラにおいては、回転ダイヤルによってメニュー選択を行うものが知られている。この回転ダイヤルには、ムービー機能（動画を記録する機能）や、連写機能（静止画撮影を短時間に複数行う機能）等の撮影作業を補助するメニューが選択可能に割り当てられている（例えば、特許文献２を参照。）。
【先行技術文献】
【特許文献】
【０００５】
【特許文献１】特開平６−９０２００号公報
【特許文献２】特開２００１−２４５１８９号公報
【発明の概要】
【発明が解決しようとする課題】
【０００６】
ここで、携帯電話機には、デジタルカメラにはない特有のアプリケーション（通信・通話機能）が含まれており、また、通信・通話機能以外のアプリケーションを選択し、その後、次のアプリケーションを選択する場合には、通信・通話の待受画面が表示される等の仕様上の相違点も存在する。したがって、特許文献２に示されているような技術を携帯電話機に単に応用しただけでは、携帯電話機の操作上及び使用上不都合を生ずる。
【０００７】
また、特許文献１や特許文献２においては、複数の異なるアプリケーション（例えば、音楽を再生するアプリケーションや、Ｗｅｂページを閲覧する閲覧用アプリケーション等）を回転ダイヤルにより選択して操作するような仕様になっていない。ここで、特許文献１に示されているように、携帯電話機に回転ダイヤルを設けることにより、直感的なユーザインターフェースを提供することは可能であるが、回転ダイヤルによって複数の異なるアプリケーションを選択して操作する際には、その反応の速度（レスポンス）や電力消費の低減化等を図る必要がある。
【０００８】
したがって、単に携帯電話機に回転ダイヤルを設けただけでは、携帯電話機の操作上及び使用上の不都合が生じるので、実際のユーザの使用形態により即した機能操作性を有する携帯電子機器が望まれている。
【０００９】
本発明は、回転ダイヤルを搭載することにより違和感の無いスピーディーな操作感を与え、かつ、実際のユーザの使用形態により即した機能操作性を有する携帯電子機器を提供することを目的とする。
【課題を解決するための手段】
【００１０】
本発明に係る携帯電子機器は、上記課題を解決するために、筐体と、前記筐体に所定の回転軸を中心に回転可能に取り付けられる回転ダイヤル部と、前記回転ダイヤル部の回転を検出する回転検出部と、前記回転検出部により検出された回転に基づいて、複数のアプリケーションのうち所定のアプリケーションを起動させるアプリケーション起動処理部と、前記アプリケーション起動処理部により起動されるアプリケーションに使用されるデバイスを確認するデバイス確認部と、前記デバイス確認部により確認されたデバイスと、前記回転検出部により前記回転ダイヤル部の回転の開始が検出されたときに、起動中のデバイスが同一であるか否かを判断する判断部と、前記判断部により同一であると判断されたときには、起動中のデバイスを起動状態に維持するように制御する制御部とを備えることを特徴とする。
【００１１】
前記携帯電子機器では、前記回転ダイヤル部には、同一のデバイスを利用するアプリケーション同士が隣接するように複数のアプリケーションが割り当てられていることが好ましい。
【００１２】
前記携帯電子機器では、前記制御部は、前記判断部により同一でないと判断されたときには、現在起動中のデバイスを停止状態に制御し、前記デバイス確認部により確認されたデバイスを起動状態に制御することが好ましい。
【００１３】
前記携帯電子機器では、前記制御部は、前記判断部により同一でないと判断されたときには、現在起動中のデバイスにより実行されているアプリケーションが非活性状態でも実行が維持されるアプリケーションであるかどうかを判断し、非活性状態でも実行が維持されるアプリケーションであると判断したときには、現在起動中のデバイスを起動状態に維持し、非活性状態で当該アプリケーションの実行を維持するように制御することが好ましい。
【００１４】
前記携帯電子機器では、前記制御部は、前記判断部により同一でないと判断されたときには、現在起動中のデバイスにより実行されているアプリケーションが非活性状態でも実行が維持されるアプリケーションであるかどうかを判断し、非活性状態でも実行が維持されるアプリケーションであると判断したときには、現在起動中のデバイスを起動状態に維持するか又は停止状態にするかを判断させるための情報を報知することが好ましい。
【００１５】
前記携帯電子機器では、前記非活性状態でも実行の維持が可能なアプリケーションは、メモリに保存されている音楽データを再生する音楽再生用アプリケーション、受信した電波を映像と音声に変換して再生する映像再生用アプリケーション、受信した電波を音声に変換して再生する音声出力アプリケーション、及び位置情報に基づいて目的地まで音声によりガイドする音声ガイドアプリケーション等の音声を外部に出力するアプリケーションの少なくともいずれかであることが好ましい。
【発明の効果】
【００１６】
本発明によれば、回転ダイヤルを搭載することにより違和感の無いスピーディーな操作感を与え、かつ、実際のユーザの使用形態により即した機能操作性を有する。
【図面の簡単な説明】
【００１７】
【図１】本発明に係る携帯電話機の外観を示す図である。
【図２】携帯電話機の閉状態における表示部側筐体部から見たときの外観を示す図である。
【図３】携帯電話機の閉状態における操作部側筐体部から見たときの外観を示す図である。
【図４】回転ダイヤル部付近を拡大したときの図である。
【図５】回転ダイヤル部の機能についての説明に供する図である。
【図６】携帯電話機の機能を示す機能ブロック図である。
【図７】携帯電話機の処理部の機能を示す機能ブロック図である。
【図８】携帯電話機の動作についての説明に供するフローチャートである。
【図９】アプリケーションの起動に伴いデバイスを切り替える動作についての説明に供するタイミングチャートである。
【図１０】非活性状態でも実行可能なアプリケーションを使用しているときに、新たなアプリケーションの起動の操作が行われた場合における動作の説明に供するフローチャートである。
【発明を実施するための形態】
【００１８】
以下、本発明の実施の形態について説明する。図１は、本発明に係る携帯電子機器の一例である携帯電話機１の外観図を示す。また、図２は、携帯電話機１の閉状態における表示部側筐体部３から見たときの外観図を示す。また、図３は、携帯電話機１の閉状態における操作部側筐体部２から見たときの外観図を示す。また、図４は、回転ダイヤル部付近の拡大図を示す。また、図５は、回転ダイヤル部の機能を示す図である。なお、以下では、携帯電話機について説明するが、本発明はこれに限定されるものではなく、例えば、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても良い。
【００１９】
携帯電話機１は、図１に示すように、操作部側筐体部２（筐体）と、表示部側筐体部３（筐体）と、を備えて構成される。操作部側筐体部２は、表面部１０に、操作キー群１１と、携帯電話機１の使用者が通話時に発した音声が入力されるマイク１２と、を備えて構成される。操作キー群１１は、機能設定操作ボタン１３と、入力操作ボタン１４と、決定操作ボタン１５と、コントロールボタン１６と、から構成されている。機能設定操作ボタン１３は、各種設定や電話帳機能やメール機能等の各種機能を動作させるためのボタンである。入力操作ボタン１４は、電話番号の数字やメール等の文字等を入力するためのボタンである。決定操作ボタン１５は、各種操作における決定やスクロール等を行うボタンである。コントロールボタン１６は、ボリュームコントロール等のコントロールを行うボタンである。
【００２０】
また、表示部側筐体部３は、表面部２０に、各種情報を表示するためのディスプレイ２１と、通話の相手側の音声を出力する音声出力部２２と、を備えて構成されている。
【００２１】
また、操作部側筐体部２の上端部と表示部側筐体部３の下端部とは、ヒンジ機構４を介して連結されている。また、携帯電話機１は、ヒンジ機構４を介して連結された操作部側筐体部２と表示部側筐体部３とを相対的に回転することにより、操作部側筐体部２と表示部側筐体部３とが互いに開いた状態（開状態）にしたり、操作部側筐体部２と表示部側筐体部３とが折り畳まれた状態（閉状態）にしたりできる。
【００２２】
なお、図１は、いわゆる折り畳み型の携帯電話機１の形態を示しているが、本発明に係る携帯電話機１の形態としては特にこれに限られず、操作部側筐体部２と表示部側筐体部３とを重ね合わせた状態から一方の筐体を一方向にスライドさせるようにしたスライド式や、操作部側筐体部２と表示部側筐体部３との重ね合せ方向に沿う軸線を中心に一方の筐体を回転させるようにした回転式（ターンタイプ）や、操作部側筐体部２と表示部側筐体部３とが一つの筐体に配置され連結部を有さない型式（ストレートタイプ）等であっても良い。
【００２３】
また、携帯電話機１におけるヒンジ機構４が形成されている位置には、回転ダイヤル部４１が設けられている。回転ダイヤル部４１は、所定方向に自在に回転するように取り付けられている。なお、図１によれば、回転ダイヤル部４１は、操作部側筐体部２の先端部に取り付けられているが、これに限られない。また、回転ダイヤル部４１の操作及び機能については後述する。
【００２４】
また、図２に示すように、表示部側筐体部３は、ディスプレイ２１が配置されている裏面側に、所定の情報が表示されるサブディスプレイ２３を備えている。また、図３に示すように、操作部側筐体部２は、操作キー群１１が配置されている裏面側に、被写体を撮像するＣＣＤ（Ｃｈａｒｇｅ  Ｃｏｕｐｌｅｄ  Ｄｅｖｉｃｅ）カメラ等により構成される撮像部１７と、一定の光量を出力する発光部１８とを備えている。
【００２５】
次に、回転ダイヤル部４１の操作及び機能について説明する。回転ダイヤル部４１は、図４に示すように、ヒンジ機構４の回転軸Ｘに沿って、ユーザの指により所定方向（図４中のａ方向及びｂ方向）に自在に回転するように筐体に取り付けられている。なお、回転ダイヤル部４１は、図４に示すような構成に限定されず、ユーザの操作によって回転自在な構成であれば良く、回転軸（ヒンジ軸）Ｘと直交する方向の軸に沿って所定方向に自在に回転するような構成等であっても良い。
【００２６】
また、回転ダイヤル部４１には、回転方向において所定の間隔ごとに複数の指標（アイコン）Ｉ（Ｉ１〜Ｉ７）が付されている。なお、指標Ｉは、例えば、図５に示すように、アプリケーションを選択する際の目印になるようなユーザにとって理解しやすいイメージによって描かれている。
【００２７】
ここで、ユーザによる回転ダイヤル部４１の操作について簡略的に説明する。ユーザは、当該指標Ｉを手掛かりとして、所望するアプリケーションに対応する指標Ｉを目印としての選択位置Ｓまで回転させる。携帯電話機１は、選択位置Ｓに静止している指標Ｉに対応するアプリケーションを起動させる。このようにして、回転ダイヤル部４１は、物理的な回転ダイヤルの操作により、各種の機能を発揮するメニュー選択を可能とする。
【００２８】
また、携帯電話機１は、具体的には、図５に示すように、回転ダイヤル部４１がユーザの回転操作によって、無操作時（ニュートラル（Ｎ）を示す指標Ｉ１）を基準として、ａ方向に４５°（ｂ方向に３１５°）回転操作され、選択位置Ｓにカメラを示す指標Ｉ２が静止されて一定時間が経過、又は決定の操作がされることにより、撮像部１７のカメラ機能を有効にして被写体を撮像可能な状態にする。
【００２９】
また、携帯電話機１は、回転ダイヤル部４１が指標Ｉ１を基準として、ａ方向に９０°（ｂ方向に２７０°）回転操作され、選択位置Ｓにメールを示す指標Ｉ３が静止されて一定時間が経過、又は決定の操作がされることにより、メール・アプリケーションを起動してメールの閲覧、作成及び送信が可能な状態にする。
【００３０】
携帯電話機１は、以下同様に、回転ダイヤル部４１が指標Ｉ１を基準として、ａ方向に１３５°（ｂ方向に２２５°）回転操作されることにより、ナビゲーションシステム・アプリケーションが起動し、ａ方向に１８０°（ｂ方向に１８０°）回転操作されることにより、ラジオ・アプリケーションが起動し、ａ方向に２２５°（ｂ方向に１３５°）回転操作されることにより、テレビの視聴が行えるアプリケーションが起動され、ａ方向に２７０°（ｂ方向に９０°）回転操作されることにより、画像の再生を行うデータフォルダのアプリケーションが起動され、ａ方向に３１５°（ｂ方向に４５°）回転操作されることにより、音楽の再生を行うアプリケーションが起動される。
【００３１】
なお、上述した回転ダイヤル部４１の回転量に応じて割り当てられているメニューは一例であって、これに限定されることは無い。例えば、ユーザ自身が頻繁に使用するメニューを登録できる構成であっても良い。また、回転ダイヤル部４１の所定の回転量に所望のＷｅｂアドレスを割り当てておき、当該Ｗｅｂアドレスが選択されることにより、Ｗｅｂブラウザを起動して当該ＷｅｂアドレスのＷｅｂページを閲覧可能にするような構成であっても良い。また、回転ダイヤル部４１に割り当てられるアプリケーションの数も上述した数（７つ）に限定されるものではない。
【００３２】
また、ユーザは、回転ダイヤル部４１を直接操作することにより、一定条件下において、回転ダイヤル部４１に割り当てられている各種機能を直接的に起動させることができる。つまり、メインメニューを経由する必要がなく、簡易に所望するアプリケーションを起動することができる。また、回転ダイヤル部４１によるアプリケーションの選択方法と、従来から用いられているメインメニューを経由する方法とを併用させることにより、ユーザに対してアプリケーションの選択方法について幅を持たせることができ、操作性の向上を図ることができる。
【００３３】
つぎに、携帯電話機１を機能的な観点から構成と動作について図６を用いて説明する。携帯電話機１は、図６に示すように、ディスプレイ２１と、音声出力部２２と、サブディスプレイ２３と、表示ドライバ２４と、スピーカ２５と、回転ダイヤル部４１と、通信部６０と、処理部７０と、充電池８０と、電源回路部９０と、記憶部１００とを備える。ディスプレイ２１は、各種情報の表示部として閉状態にて外部に露出しない構成になっている。音声出力部２２は、通話時の相手の音声を外部に出力する。サブディスプレイ２３は、各種情報の表示部として閉状態でも外部に露出する構成になっている。表示ドライバ２４は、ディスプレイ２１とサブディスプレイ２３とを駆動する。スピーカ２５は、再生された音楽等を外部に出力する。なお、本実施例では、ディスプレイ２１とサブディスプレイ２３とを表示ドライバ２４により駆動する構成としたが、これに限られず、それぞれ専用の表示ドライバにより構成されても良い。
【００３４】
通信部６０は、所定の使用周波数帯により外部装置と通信を行うメインアンテナ６１と、変調処理又は復調処理等の信号処理を行う通信処理部６２と、を備える。メインアンテナ６１は、所定の使用周波数帯（例えば、８００ＭＨｚ）で外部装置（基地局）と通信を行う。なお、本実施の形態では、所定の使用周波数帯として、８００ＭＨｚとしたが、これ以外の周波数帯であっても良い。また、メインアンテナ６１は、所定の使用周波数帯の他に、第２の使用周波数帯（例えば、２ＧＨｚ）に対応できる、いわゆるデュアルバンド対応型による構成であっても良いし、さらに、第３の使用周波数帯以上にも対応できる複数バンド対応型により構成されていても良い。
【００３５】
通信処理部６２は、メインアンテナ６１によって受信した信号を復調処理し、処理後の信号を処理部７０に供給し、一方、処理部７０から供給された信号を変調処理し、メインアンテナ６１を介して外部装置（基地局）に送信する。電源回路部９０は、充電池８０から供給される電源電圧を所定の電圧に変換し、変換後の電圧を通信部６０や処理部７０等に供給する。
【００３６】
記憶部１００は、処理部７０にて実行される多数のプログラム及びパラメータや各種テーブル等が記憶される。具体的には、記憶部１００は、処理部７０にて起動、終了、中断等がなされる多数のアプリケーションプログラムや、これら複数のアプリケーションにて使用されるパラメータや、複数のアプリケーションプログラムを動作させるためのＯＳ（Ｏｐｅｒａｔｉｎｇ  Ｓｙｓｔｅｍ）プログラムの他、検出される回転量と複数のアプリケーションとの対応関係（図５を参照。）、さらには閉状態でも起動可能なアプリケーションで有るか否かを示すテーブル１１０を記憶している。なお、複数のアプリケーションプログラムには、基準アプリケーション、ミュージック・プレーヤー、カメラ、メール等の携帯電話機１が有するアプリケーションごとのアプリケーションプログラムが含まれる。
【００３７】
このように構成される携帯電話機１は、回転ダイヤル部４１を搭載することにより違和感の無いスピーディーな操作感を与え、かつ、実際のユーザの使用形態により即した機能操作性を実現する機能を有している。さらに、デバイスの頻繁な切り替えを抑制し、消費電力の低減を図る機能を有している。ここで、当該機能を発揮するための処理部７０の具体的な構成について、図７に示す機能ブロック図を用いて説明する。処理部７０は、図７に示すように、回転検出部２０１と、アプリケーション起動処理部２０２と、デバイス確認部２０３と、判断部２０４と、制御部２０５とを備える。
【００３８】
回転検出部２０１は、回転ダイヤル部４１の回転を検出する。本実施例では、回転検出部２０１は、回転ダイヤル部４１の角度の変化量を回転量として検出しているが、これに限られず、回転ダイヤル部４１の回転に応じた変化を検出できれば良く、例えば、抵抗率の変化等を回転量として検出しても良い。
【００３９】
アプリケーション起動処理部２０２は、回転検出部２０１により検出された回転に基づいて、複数のアプリケーションのうち所定のアプリケーションを起動させる。アプリケーション起動処理部２０２は、検出された回転量に応じた所定のアプリケーションを起動し、当該起動した所定のアプリケーションに対応する表示画面をディスプレイ２１に表示するように制御する機能を有している。
【００４０】
ここで、アプリケーション起動処理部２０２の動作について説明する。アプリケーション起動処理部２０２は、回転ダイヤル部４１の回転が生じる都度、記憶部１００のアプリケーション対応関係のテーブル１１０を参照し、回転量に応じたアプリケーションを特定している。アプリケーション起動処理部２０２は、携帯電話機１の主電源がＯＮ状態にされると、まずＯＳプログラムを立ち上げ、ＯＳ管理下で基準アプリケーションプログラムを起動することでディスプレイ２１に待受画面を表示するように制御する。その後、アプリケーション起動処理部２０２は、起動するアプリケーションが発生する都度、ＯＳ管理下で基準アプリケーションプログラムを終了あるいは中断して新たなアプリケーションプログラムを起動する制御を行う。この処理により、アプリケーション起動処理部２０２は、ディスプレイ２１上に、待受画面に代えて新たに起動したアプリケーションに基づく画面を表示させる制御を行う。なお、アプリケーション起動処理部２０２は、起動していたアプリケーションプログラムが基準アプリケーションプログラムではなく、他のアプリケーションプログラムであった場合においても同様に、起動していたアプリケーションプログラムを終了して新たなアプリケーションプログラムを起動する。そして、アプリケーション起動処理部２０２は、以前のアプリケーションプログラムに基づく画面から新たなアプリケーションプログラムに基づく画面に変更するよう制御する。
【００４１】
デバイス確認部２０３は、アプリケーション起動処理部２０２により起動されるアプリケーションに使用されるデバイスを確認する。具体的には、デバイス確認部２０３は、アプリケーション起動処理部２０２に問い合わせ、これから起動する予定のアプリケーションを確認し、記憶部１００に記憶されているデバイス管理テーブルを参照してデバイスを確認する。なお、デバイス管理テーブルには、アプリケーションと、使用されるデバイスとの対応関係を示すテーブルのことである。また、本実施例で使用する「デバイス」とは、カメラ、ＬＣＤ、ＬＥＤ、コプロセッサ、アプリケーションプロセッサー等を含む概念である。
【００４２】
判断部２０４は、デバイス確認部２０３により確認されたデバイスと、回転検出部２０１により回転ダイヤル部４１の回転の開始が検出されたときに、起動中のデバイスが同一であるか否かを判断する。具体的には、判断部２０４は、アプリケーション起動処理部２０２に問い合わせ、起動中のアプリケーションを確認し、記憶部１００に記憶されているデバイス管理テーブルを参照して現在使用中のデバイスを確認する。
【００４３】
制御部２０５は、判断部２０４により同一であると判断されたときには、現在起動中のデバイスを起動状態に維持するように制御する。
【００４４】
このように構成されることにより、携帯電話機１では、あるアプリケーション（以下、アプリケーションＡＰ１という。）が起動している状態において、他のアプリケーション（以下、アプリケーションＡＰ２という。）を起動する操作が行われたときに、一律にアプリケーションＡＰ１の終了と共にデバイスを停止状態にせず、アプリケーションＡＰ１により使用されているデバイスが、アプリケーションＡＰ２により使用されるデバイスと同一のものか否か判断し、同一のものであると判断した場合には、当該デバイスの起動状態を維持するので、デバイスの頻繁な切り替えを抑制し、消費電力の低減を図ることができる。
【００４５】
また、回転ダイヤル部４１には、同一のデバイスを利用するアプリケーション同士が隣接するように複数のアプリケーションが割り当てられていることが好ましい。例えば、音楽の再生を行うアプリケーションと画像を閲覧するためのアプリケーションは同一のデバイスを使用するとした場合、回転ダイヤル部４１において、両アプリケーションを隣接するように割り当てることにより、音楽の再生を行うアプリケーションが起動している状態で、画像を閲覧するためのアプリケーションの起動が選択されたとき、デバイスを停止せずに起動状態を維持するので、画像を閲覧するアプリケーションを起動した直後に素早く画像の表示が可能となる。
【００４６】
また、制御部２０５は、判断部２０４により同一でないと判断されたときには、現在起動中のデバイスを停止状態に制御し、デバイス確認部２０３により確認されたデバイスを起動状態に制御することが好ましい。このように構成されることにより、携帯電話機１では、デバイスが同一でないときには、通常通り停止状態に制御されるので、電力が無駄に消費されない効果がある。
【００４７】
また、制御部２０５は、判断部２０４により同一でないと判断されたときには、現在起動中のデバイスにより実行されているアプリケーションが非活性状態（いわゆる、バックグラウンド状態）でも実行が維持されるアプリケーションであるかどうかを判断し、非活性状態でも実行が維持されるアプリケーションであると判断したときには、現在起動中のデバイスを起動状態に維持し、非活性状態で当該アプリケーションの実行を維持するように制御することが好ましい。
【００４８】
このように構成されることにより、携帯電話機１では、現在起動中のアプリケーションが非活性状態でも実行が可能なアプリケーションである場合には、新しく起動するアプリケーションとは異なるデバイスを使用することを条件に、起動中のアプリケーションを非活性状態で実行させるので、実際のユーザの使用形態により即した機能操作性を実現することができる。
【００４９】
また、制御部２０５は、判断部２０４により同一でないと判断されたときには、現在起動中のデバイスにより実行されているアプリケーションが非活性状態でも実行が維持されるアプリケーションであるかどうかを判断し、非活性状態でも実行が維持されるアプリケーションであると判断したときには、現在起動中のデバイスを起動状態に維持するか又は停止状態にするかを判断させるための情報を報知することが好ましい。
【００５０】
このように構成されることにより、携帯電話機１では、現在起動中のアプリケーションが非活性状態でも実行が可能なアプリケーションである場合には、新しく起動するアプリケーションとは異なるデバイスを使用することを条件に、起動中のアプリケーションを非活性状態で実行させるか否かをユーザに判断させるので、ユーザの使用形態により即した機能操作性を実現することができる。
【００５１】
また、非活性状態でも実行の維持が可能なアプリケーションは、メモリに保存されている音楽データを再生する音楽再生用アプリケーション、受信した電波を映像と音声に変換して再生する映像再生用アプリケーション、受信した電波を音声に変換して再生する音声出力アプリケーション、及び位置情報に基づいて目的地まで音声によりガイドする音声ガイドアプリケーション等の音声を外部に出力するアプリケーションの少なくともずれかである。
【００５２】
つぎに、携帯電話機１の動作について、図８に示すフローチャートを参照しながら説明する。ステップＳ１において、回転検出部２０１は、回転ダイヤル部４１の回転動作を検出する。
【００５３】
ステップＳ２において、アプリケーション起動処理部２０２は、ステップＳ１の工程により検出された回転動作に基づいて、機能が切り替えられたこと、すなわちアプリケーションの選択を検出する。アプリケーション起動処理部２０２は、選択されたアプリケーションを起動する準備を行う。
【００５４】
ステップＳ３において、デバイス確認部２０３は、選択されたアプリケーションにより使用されるデバイスを確認する。デバイス確認部２０３は、例えば、現在起動されているアプリケーションによって使用されているデバイスを記憶部１００に記憶されているデバイス管理テーブルを参照することにより確認する。
【００５５】
ステップＳ４において、判断部２０４は、切替先機能の未使用デバイスを使用中であるか否か、すなわち、ステップＳ２の工程により選択されたアプリケーションにより使用されないデバイスが使用中であるか否かを判断する。未使用デバイスが使用中であると判断した場合（Ｙｅｓ）には、ステップＳ５に進み、未使用デバイスが使用中でないと判断した場合（Ｎｏ）には、ステップＳ６に進む。
【００５６】
ステップＳ５において、制御部２０５は、切替先機能の未使用デバイスを終了する。なお、制御部２０５は、現在起動されているアプリケーションが非活性状態（バックグラウンド状態）でも実行が可能であれば、未使用デバイスを終了しないで、当該アプリケーションを非活性状態で使用を継続しても良い。
【００５７】
ステップＳ６において、制御部２０５は、切替先機能の使用デバイスは起動しているか否か、すなわち、ステップＳ２の工程により選択された起動対象となっているアプリケーションにより使用されるデバイスは起動しているか否かを判断する。使用デバイスが起動していると判断した場合（Ｙｅｓ）には、ステップＳ８に進む。すなわち、制御部２０５は、使用デバイスが起動中であると判断した場合には、使用デバイスの起動状態を維持する。また、使用デバイスが起動していないと判断した場合（Ｎｏ）には、ステップＳ７に進む。
【００５８】
ステップＳ７において、制御部２０５は、切替先機能の使用するデバイスを起動する。
【００５９】
ステップＳ８において、アプリケーション起動処理部２０２は、ステップＳ２の工程により選択されたアプリケーションを起動する。
【００６０】
このようにして、携帯電話機１では、あるアプリケーション（アプリケーションＡＰ１）が起動している状態において、他のアプリケーション（アプリケーションＡＰ２）を起動する操作が行われたときに、一律にアプリケーションＡＰ１の終了と共に起動されているデバイスを停止状態にせず、現在起動中のデバイスが、アプリケーションＡＰ２により使用されるデバイスと同一のものである場合には、当該デバイスの起動状態を維持するので、デバイスの頻繁な切り替えを抑制し、消費電力の低減を図ることができる。
【００６１】
なお、上述した実施例では、起動予定のアプリケーションにより使用されないデバイスの使用状況を確認し、当該アプリケーションにより使用されるデバイスの使用状況を確認することにより、デバイスの頻繁な切り替えを制御すると説明したが、これに限られない。例えば、携帯電話機１は、起動予定のアプリケーションにより使用されるデバイスと、既に起動されているデバイスが同一であるか否かを判断し、同一であると判断されたときには、当該デバイスの使用状態を維持することにより、デバイスの頻繁な切り替えを制御しても良い。
【００６２】
つぎに、アプリケーションの起動に伴いデバイスをどのように切り替える動作を行うのかについて、図９に示すタイミングチャートを参照しながら詳細に説明する。なお、以下では、アプリケーションの切り替え動作の一例として、アプリケーションＡＰ１が起動されている状態からアプリケーションＡＰ２を起動し、その後アプリケーションＡＰ３を起動する動作について説明する。また、アプリケーションＡＰ１とアプリケーションＡＰ２は、デバイスＡを使用し、アプリケーションＡＰ３は、デバイスＡとは異なるデバイスＢを使用するものとする。
【００６３】
処理部７０は、回転ダイヤル部４１の切り替えを検出し（ステップＳ１１）、アプリケーションＡＰ２の起動を検出したときに、記憶部１００を参照してアプリケーションＡＰ２により使用されるデバイスを調べる（ステップＳ１２）。処理部７０は、アプリケーションＡＰ２により使用されるデバイスは、デバイスＡであることを確認し（ステップＳ１３）、アプリケーションＡＰ１の終了要求を行う（ステップＳ１４）。処理部７０は、アプリケーションＡＰ１の終了が完了した旨の通知を受け取った場合（ステップＳ１５）、デバイスＡを終了することなくアプリケーションＡＰ２の起動要求を行い（ステップＳ１６）、その後、アプリケーションＡＰ２の起動が完了した旨の通知を受け取る（ステップＳ１７）。
【００６４】
また、処理部７０は、回転ダイヤル部４１の切り替えを検出し（ステップＳ１８）、アプリケーションＡＰ３の起動を検出したときに、記憶部１００を参照してアプリケーションＡＰ３により使用されるデバイスを調べる（ステップＳ１９）。処理部７０は、アプリケーションＡＰ３により使用されるデバイスは、デバイスＢであることを確認し（ステップＳ２０）、アプリケーションＡＰ２の終了要求を行う（ステップＳ２１）。処理部７０は、アプリケーションＡＰ２の終了が完了した旨の通知を受け取った場合（ステップＳ２２）、デバイスＡの終了要求を行う（ステップＳ２３）。
【００６５】
処理部７０は、デバイスＡの終了が完了した旨の通知を受け取ったときに（ステップＳ２４）、デバイスＢを起動する要求を行う（ステップＳ２５）。処理部７０は、デバイスＢが起動した旨の通知を受け取ったときに（ステップＳ２６）、アプリケーションＡＰ３の起動要求を行い（ステップＳ２７）、その後、アプリケーションＡＰ３の起動が完了した旨の通知を受け取る（ステップＳ２８）。
【００６６】
このようにして携帯電話機１では、アプリケーションＡＰ１とアプリケーションＡＰ２とは、同一のデバイスＡを使用するので、デバイスＡの起動状態を継続したまま、アプリケーションＡＰ１からアプリケーションＡＰ２への切り替え制御を行うので、デバイスの頻繁な切り替えを抑制し、消費電力の低減を図ることができる。
【００６７】
つぎに、非活性状態（バックグラウンド状態）でも実行可能なアプリケーションを使用しているときに、新たなアプリケーションの起動の操作が行われた場合における携帯電話機１の動作について、図１０に示すフローチャートを参照しながら説明する。ステップＳ３１において、回転検出部２０１は、回転ダイヤル部４１の回転動作を検出する。
【００６８】
ステップＳ３２において、アプリケーション起動処理部２０２は、ステップＳ３１の工程により検出された回転動作に基づいて、機能が切り替えられたこと、すなわちアプリケーションの選択を検出する。アプリケーション起動処理部２０２は、選択されたアプリケーションを起動する準備を行う。
【００６９】
ステップＳ３３において、デバイス確認部２０３は、選択されたアプリケーションにより使用されるデバイスを確認する。デバイス確認部２０３は、例えば、現在起動されているアプリケーションによって使用されているデバイスを記憶部１００に記憶されているデバイス管理テーブルを参照することにより確認する。
【００７０】
ステップＳ３４において、判断部２０４は、切替先機能の未使用デバイスを使用中であるか否か、すなわち、ステップＳ３２の工程により選択されたアプリケーションにより使用されないデバイスが使用中であるか否かを判断する。未使用デバイスが使用中であると判断した場合（Ｙｅｓ）には、ステップＳ３５に進み、未使用デバイスが使用中でないと判断した場合（Ｎｏ）には、ステップＳ４０に進む。
【００７１】
ステップＳ３５において、制御部２０５は、未使用デバイスが非活性状態でも実行可能なアプリケーション（以下、ＢＧアプリという。）によって使用中であるか否かを判断する。使用中であると判断した場合（Ｙｅｓ）には、ステップＳ３６に進み、使用中ではないと判断した場合（Ｎｏ）には、ステップＳ３９に進む。
【００７２】
ステップＳ３６において、制御部２０５は、ＢＧアプリの終了を確認する画面を起動する。なお、制御部２０５は、ＢＧアプリの終了を確認する画面ではなく、音等により終了の確認を促しても良い。このような構成の場合には、制御部２０５は、ＢＧアプリを終了するか否かは、ＢＧアプリを終了するための所定の操作の有無によって判断する。
【００７３】
ステップＳ３７において、制御部２０５は、ＢＧアプリの終了が選択されたか否かを判断する。ＢＧアプリの終了が選択されたと判断した場合（Ｙｅｓ）には、ステップＳ３８に進み、ＢＧアプリの終了が選択されなかったと判断した場合（Ｎｏ）には、ステップＳ４０に進む。
【００７４】
ステップＳ３８において、制御部２０５は、ＢＧアプリを終了するように制御する。
【００７５】
ステップＳ３９において、制御部２０５は、切替先機能の未使用デバイスを終了する。
【００７６】
ステップＳ４０において、制御部２０５は、切替先機能の使用デバイスは起動しているか否か、すなわち、ステップＳ２３の工程により選択された起動対象となっているアプリケーションにより使用されるデバイスは起動しているか否かを判断する。使用デバイスが起動していると判断した場合（Ｙｅｓ）には、ステップＳ８に進む。すなわち、制御部２０５は、使用デバイスが起動中であると判断した場合には、使用デバイスの起動状態を維持する。また、使用デバイスが起動していないと判断した場合（Ｎｏ）には、ステップＳ７に進む。
【００７７】
ステップＳ４１において、制御部２０５は、切替先機能の使用するデバイスを起動する。
【００７８】
ステップＳ４２において、アプリケーション起動処理部２０２は、ステップＳ３２の工程により選択されたアプリケーションを起動する。
【００７９】
このようにして、携帯電話機１では、起動中のアプリケーションがＢＧアプリであって、当該ＢＧアプリにより使用されているデバイスが、起動予定のアプリケーションにより使用されないデバイスである場合には、当該ＢＧアプリを非活性状態で実行させるか否かをユーザに判断させるので、ユーザの使用形態により即した機能操作性を実現することができる。
【００８０】
なお、本実施形態において、回転ダイヤル部４１の回転量に基づいて、起動すべきアプリケーションを特定する例を示したが、これに限定されるものではない。すなわち、いかなる回転状態かさえ判定できれば良く、変動量を検出する他に、例えば、最終的な回転位置だけを検出するような構成であっても良い。そして、テーブル１１０にて最終的な回転位置にそれぞれアプリケーションを対応付けて記憶しておけば、これを参照することにより、特定された位置に応じたアプリケーションを起動するように構成することもできる。
【００８１】
さらには、回転が生じてから最終的な回転位置に至るまでの時間の計測を行うことで、速い回転であるか、遅い回転であるかを判別できるように構成し、これに応じて起動するアプリケーションを変化させるように構成しても良い。この場合、テーブル１１０に回転時間ごとの起動するアプリケーションを対応付けて記億しておき、回転が生じてから回転が停止されるまでの時間をテーブル参照することで、例えば、同じ位置までの回転であっても回転速度の相違によって異なるアプリケーションを起動できるようにすることも可能である。
【符号の説明】
【００８２】
１  携帯電話機
２  操作部側筐体（筐体）
３  表示部側筐体（筐体）
４１  回転ダイヤル部
７０  処理部
２０１  回転検出部
２０２  アプリケーション起動処理部
２０３  デバイス確認部
２０４  判断部
２０５  制御部
【図１】
2010200045.tif 000003
【図２】
2010200045.tif 000004
【図３】
2010200045.tif 000005
【図４】
2010200045.tif 000006
【図５】
2010200045.tif 000007
【図６】
2010200045.tif 000008
【図７】
2010200045.tif 000009
【図８】
2010200045.tif 000010
【図９】
2010200045.tif 000011
【図１０】
2010200045.tif 000012